(57)【要約】【課題】導光板全体の輝度の低下を抑制しつつ、導光板の明るさのむらを低減できるとともに、導光板の中央部の輝度を向上できる面光源装置を提供する。【解決手段】面光源装置は、光源部と、この光源部に対向して配置された導光板21を具備する。光源部は縦列配置された複数個のLED1〜LED22を有する。導光板21は、各LEDからの光が入射する入射面23、及びこの入射面から入射した光が出射される出射面24を有する。LED列の中央部でのLED相互の間隔を、LED列の両端部でのLED相互の間隔より狭くする。LED列に対応して延びている入射面23の長手方向中央部とこれに対向したLED列の中央部との間の距離Ｄを、入射面23の長手方向両端部とこれに対向したLED列の両端部との間の距離Ｅより短くしたことを特徴としている。【選択図】      図４
2008130336.tif 000002
【特許請求の範囲】
【請求項１】
縦列配置された複数個のＬＥＤを有する光源部と；この光源部に対向して配置され、前記各ＬＥＤからの光が入射する入射面、及びこの入射面から入射した光が出射される出射面を有した導光板；とを具備し、
前記ＬＥＤの列の中央部でのＬＥＤ相互の間隔を前記ＬＥＤ列の両端部でのＬＥＤ相互の間隔より狭くし、前記ＬＥＤ列に対応して延びている前記入射面の長手方向中央部とこれに対向した前記ＬＥＤ列の中央部との間の距離を、前記入射面の長手方向両端部とこれに対向した前記ＬＥＤ列の両端部との間の距離より短くしたことを特徴とする面光源装置。
【請求項２】
前記導光板に前記入射面の長手方向に沿うように光を入射させる側部ＬＥＤを備えたことを特徴とする請求項１に記載の面光源装置。
【請求項３】
点灯装置及びバッテリーが内蔵された灯具本体と；
この灯具本体に取付けられた請求項１又は２に記載の面光源装置と；
避難誘導のための図柄を有して前記面光源装置の導光板の出射面に被着された表示部材と；
を具備したことを特徴とする誘導灯。
【発明の詳細な説明】
【技術分野】
【０００１】
本発明は、複数個のＬＥＤ（発光ダイオード）と導光板とを備える面光源装置、及びこの装置を備えて避難誘導の表示を行う誘導灯に関する。
【背景技術】
【０００２】
従来、誘導灯などに使用される面光源装置では、複数個のＬＥＤが発した光を導光板に入射させてこの導光板内部を全反射させながら伝播させ、伝播途中で導光板の表裏面に設けられたドットパターンにより散乱させて導光板から出射させ、その出射光で導光板に重ねられた表示板の図柄を照明している。この種の面光源装置は、ＬＥＤ基板を導光板の入光面から離してこの面と平行に配置し、この基板に入光面と対向する複数個のＬＥＤを縦列配置にして、つまり、一定間隔で一列に並べて実装している（例えば、特許文献１参照）。
【特許文献１】特開２００４−２６５８１３号公報（段落0002−0020、図１−図１０）
【発明の開示】
【発明が解決しようとする課題】
【０００３】
ＬＥＤの光の出射方向は定まっているので、その光は導光板の入光面に有効に入射させ易い。この反面、一列に並んだ複数個のＬＥＤが導光板の入光面に近付く程、導光板の入光端部において、ＬＥＤの直下に対向した部位がより明るくなり易いので、入光端部に明るさのむらを生じる。そのため、導光板の入光端部が視認される場合に入光端部の輝度むらが目立つので好ましくない。
【０００４】
ところで、引用文献１の特に図７に示されるように一定間隔で並べられた複数個のＬＥＤと導光板の入光面との間に比較的大きな空間距離を確保している構成では、既述のような導光板の入光端部での明るさのむらを抑制できる。しかしながら、空間距離が長いほど、各ＬＥＤから入光面への入射光量が減少する。従って、引用文献１のように複数個のＬＥＤが実装されたＬＥＤ基板をこれと平行な導光板の入光面から距離を開けて配置した構成では、導光板全体の明るさが低下する。そのため、導光板の表示面に要求される平均輝度を得る上では、ＬＥＤへの投入電力を増やすなどの対策が必要となる等不利である。
【０００５】
特許文献１の図５に示すように導光板の厚み方向に稜線が延びるプリズム列を入光面に設ければ、このプリズム列で入光端部への入射光を散乱させて入光端部での明るさのむらを緩和できる。しかし、この対策では、プリズム列が各種の誘導灯の種類毎に設計仕様が異なるので、導光板を製造する上で不利である。それだけではなく、これらプリズム列をなす個々のプリズム部は極めて微細であるので、面精度を正確に保証でき難い。面精度が正確でない場合には、適正な散乱が得られず、その結果として、導光板の導光特性が低下して導光板全体の輝度均整度が低下するおそれがある。
【０００６】
特許文献１に記載のドットパターンの密度を、入光端部において、ＬＥＤの直下では粗く、隣接するＬＥＤ間では密にする設計とする場合には、入光端部での明るさのむらを緩和できる。しかし、この対策では十分ではない。その上、各種の誘導灯の種類毎に設計仕様が異なる点で導光板の製造上不利である。
【０００７】
又、特許文献１に記載された誘導灯では、その導光板の入光面と複数個のＬＥＤの配置の関係により、表示板に対してバックライトとなる導光板の各部の輝度が均一となる。しかし、面光源の各部の輝度が実際に均一であっても、人間の視覚上は、表示の中央部が暗くその周囲が明るく視認される。この点を改善することは、誘導灯の表示を視認させやすくする上で好ましいが、そのような配慮は特許文献１には記載されてない。
【０００８】
本発明の目的は、複数個のＬＥＤの配置に基づく、導光板全体の輝度の低下と導光板の明るさのむらを低減できるとともに、導光板の中央部の輝度を向上できる面光源装置及びこれを備えた誘導灯を提供することにある。
【課題を解決するための手段】
【０００９】
請求項１に係る発明の面光源装置は、縦列配置された複数個のＬＥＤを有する光源部と；この光源部に対向して配置され、前記各ＬＥＤからの光が入射する入射面、及びこの入射面に連なり前記入射面から入射した光が出射される出射面を有した導光板；とを具備し、前記ＬＥＤの列の中央部でのＬＥＤ相互の間隔を前記ＬＥＤ列の両端部でのＬＥＤ相互の間隔より狭くし、前記ＬＥＤ列に対応して延びている前記入射面の長手方向中央部とこれに対向した前記ＬＥＤ列の中央部との間の距離を、前記入射面の長手方向両端部とこれに対向した前記ＬＥＤ列の両端部との間の距離より短くしたことを特徴としている。
【００１０】
この発明及び以下の発明で、ＬＥＤは、砲弾形ＬＥＤでもＳＭＤ（Surface Mount Device）形ＬＥＤでもよく、白色発光するＬＥＤを用いることが好ましい。この発明及び以下の発明で、「前記ＬＥＤの列の中央部でのＬＥＤ相互の間隔を前記ＬＥＤ列の両端部でのＬＥＤ相互の間隔より狭くし」とは、ＬＥＤ列の中央部と端部に夫々複数個配設されたＬＥＤ相互の間隔の相対関係を指しており、例えばＬＥＤ列の両端から中央に行くに従って隣接したＬＥＤ相互の間隔が次第に狭くなる形態、又はＬＥＤ列の両端部に配設された複数個のＬＥＤ相互の間隔Ａが同じで、かつ、ＬＥＤ列の中央部に配設された複数個のＬＥＤ相互の間隔Ｂも同じであるが、間隔Ａ＞間隔Ｂの関係にある形態を含んでいる。
【００１１】
この発明及び以下の発明で、「前記ＬＥＤ列に対応して延びている前記入射面の長手方向中央部とこれに対向した前記ＬＥＤ列の中央部との間の距離を、前記入射面の長手方向両端部とこれに対向した前記ＬＥＤ列の両端部との間の距離より短くする」には、複数個のＬＥＤが実装されたＬＥＤ基板と導光板の入射面と内の少なくとも一方を、湾曲面又は折れ曲がった面で形成するとともに、この面と平行でない平面又は湾曲面或いは折れ曲がった面で他方を形成することにより実現できる。なお、その結果として、前記入射面の長手方向両端部とこれに対向した前記ＬＥＤ列の両端部との間の距離は、前記入射面の長手方向中央部とこれに対向した前記ＬＥＤ列の中央部との間の距離より長くなる
請求項１の発明の面光源装置で、ＬＥＤ列の中央部に配設された複数個のＬＥＤが発した光は、導光板の厚み及び光の導光方向に直交する方向で導光板の中央部において入射面を通って導光板内に入射する。この場合、ＬＥＤ列の中央部に配設されたＬＥＤ相互の間隔がＬＥＤ列の端部に配設されたＬＥＤ相互の間隔より狭いので、ＬＥＤ列の中央部に配設されたＬＥＤと入射面の長手方向中央部との間の距離が短いにも拘わらず、導光面の長手方向中央部に対応する導光板の中央部位での明るさのむらを低減できる。これとともに、ＬＥＤ列の中央部に配設されたＬＥＤ相互の間隔が狭いことと相まって、これらＬＥＤと入射面の長手方向中央部との間の距離が短いので、前記中央部位への入射光量を増やすことができる。
【００１２】
又、ＬＥＤ列の両端部に夫々配設された複数個のＬＥＤが発した光は、導光板の厚み及び光の導光方向に直交する方向で導光板の両端部において入射面を通って導光板内に入射する。この場合、ＬＥＤ列の端部に配設された複数個のＬＥＤ相互の間隔がＬＥＤ列の中央部に配設されたＬＥＤ相互の間隔より広いにも拘らず、ＬＥＤ列の端部に配設されたＬＥＤと入射面の長手方向端部との間の距離が長いので、入光面の長手方向端部に対応する導光板の端部側部位での明るさのむらを低減できる。又、入射面の長手方向端部への入射光量は、この端部に対向するＬＥＤと前記入射面の長手方向端部の間の距離に応じて減少するが、既述のように入射面の長手方向中央部への入射光量が増やされているので、導光板の平均輝度の低下が抑制されるのみならず、導光板の中央部の輝度を向上できる。
【００１３】
従って、この請求項１の発明の面光源装置によれば、複数個のＬＥＤの配置に基づく、導光板全体の輝度の低下と導光板の明るさのむらを低減できるとともに、導光板の中央部の輝度を向上できる。
【００１４】
請求項２に係る発明の面光源装置は、前記導光板に前記入射面の長手方向に沿うように光を入射させる側部ＬＥＤを備えたことを特徴としている。
【００１５】
この発明では、側部ＬＥＤから発して導光板に入射された光が、入射面の長手方向に沿うように伝播して進行するので、特に、ＬＥＤ列の端部に配設された複数個のＬＥＤの配設間隔に基づく導光板の明るさのむらをより確実に低減できる。
【００１６】
請求項３に係る発明の誘導灯は、点灯装置及びバッテリーが内蔵された灯具本体と；この灯具本体に取付けられた請求項１又は２に記載の面光源装置と；避難誘導のための図柄を有して前記面光源装置の導光板の出射面に被着された表示部材と；を具備したことを特徴としている。
【００１７】
この発明では、請求項１又は２に記載の面光源装置を備えるので、複数個のＬＥＤの配置に基づく、導光板全体の輝度の低下と導光板の明るさのむらを低減できるとともに、導光板の中央部の輝度を向上できる。そして、このような面光源装置の導光板をバックライトとして用いているので、導光板の出射面から出射される光で表示部材を照らして避難誘導のための図柄を明るく表示できる。
【発明の効果】
【００１８】
請求項１，２に係る発明の面光源装置によれば、複数個のＬＥＤの配置に基づく、導光板全体の輝度の低下と導光板の明るさのむらを低減できるとともに、導光板の中央部の輝度を向上できる。
【００１９】
請求項３に係る発明の誘導灯によれば、避難誘導のための図柄を照らして表示するバックライトとして用いる導光板において、複数個のＬＥＤの配置に基づく、導光板全体の輝度の低下と導光板の明るさのむらを低減できるとともに、導光板の中央部の輝度を向上できる。
【発明を実施するための最良の形態】
【００２０】
図１〜図４を参照して本発明の一実施形態を説明する。
【００２１】
図１〜図３中符号１は表示装置例えば誘導灯を示している。図２に示すように誘導灯１は、灯具本体２と、点灯装置３、バッテリー９、端子台１０、面光源装置６と、及び表示部材７を備えている。
【００２２】
灯具本体２は例えば正面が開放された四角形の箱からなる。図２中符号２ｂは灯具本体２をその設置箇所に固定するねじ等の固定部品が通される固定孔を示している。灯具本体２には点灯装置３が内蔵されている。点灯装置３の下部にバッテリー９が組み込まれ、点灯装置３の上部に端子台１０が組み込まれている。点灯装置３に灯具本体２の裏面壁に開けられた通孔２ａを通って引き込まれる図示しない電源線が接続される。点灯装置３は、端子台１０に接続された図示しない電線を介して面光源装置６への給電を担っている。バッテリー９は、その交換時に灯具本体２の底壁に開閉可能に設けられた蓋８を開けた状態で、点灯装置３のバッテリー収容部３ａに対して出し入れされる。
【００２３】
面光源装置６は光源部１１と導光板２１を備えている。図１に示すように面光源装置６は灯具本体２の開放された正面を塞いで灯具本体２に装着されている。
【００２４】
光源部１１は、ホルダ１２に支持されるとともに、図２及び図３に示すようにＬＥＤ基板１３、複数個例えば２２個のＬＥＤ（発光ダイオード）１〜ＬＥＤ２２を有している。ホルダ１２は、アルミニウム合金製であって、ＬＥＤ１〜ＬＥＤ２２から伝わる熱を灯具本体２の外部に放出する放熱部材を兼ねている。このホルダ１２の前壁は、導光板２１の上端部からなる入光端部２１ａを、灯具本体２の正面側から覆うカバー部１２ａとして用いられている。カバー部１２ａの内面は、ＬＥＤ１〜ＬＥＤ２２の光を反射して導光板２１に効率よく入射させるために、銀色を呈する反射面とするとよい。
【００２５】
ＬＥＤ基板１３は真っ直ぐに伸びた細長いプリント基板で作られている。ＬＥＤ基板１３はホルダ１２の内側に絶縁して熱伝導可能に取付けられている。
【００２６】
ＬＥＤ１〜ＬＥＤ２２にはパワーＬＥＤが使用されている。これらＬＥＤ１〜ＬＥＤ２２はＬＥＤ基板１３にこの基板１３の長手方向に一列に並べて配置されている。この縦列配置によりＬＥＤ基板１３上に形成されたＬＥＤ列において、図４に示すようにＬＥＤ列の中央部でのＬＥＤ相互の間隔は、ＬＥＤ列の両端部でのＬＥＤ相互の間隔より狭くなっている。
【００２７】
この場合、ＬＥＤ列の中央部に複数個のＬＥＤ１〜ＬＥＤ８が配置され、この中央部の左隣りに位置するＬＥＤ列の一端部に複数個のＬＥＤ９〜ＬＥＤ１５が配置され、前記中央部の左隣りに位置するＬＥＤ列の他端部に複数個のＬＥＤ６〜ＬＥＤ２２が配置されている。そして、図４においてＬＥＤ基板１３の左半分に並べられたＬＥＤ４〜ＬＥＤ１及びＬＥＤ９〜ＬＥＤ１５の並びでの隣接したＬＥＤ相互の間隔（隣接するＬＥＤの中心間の距離）は、ＬＥＤ基板１３の長手方向中央に近いほど次第に狭く、この逆にＬＥＤ基板１３の左端１３ａに近いほど次第に広くしてある。同様に、図４においてＬＥＤ基板１３の右半分に並べられたＬＥＤ５〜ＬＥＤ８及びＬＥＤ１６〜ＬＥＤ２２の並びでの隣接したＬＥＤ相互の間隔（隣接するＬＥＤの中心間の距離）は、ＬＥＤ基板１３の長手方向中央に近いほど次第に狭く、この逆にＬＥＤ基板１３の右端１３ｂに近いほど次第に広くしてある。更に、ＬＥＤ基板１３の中央に配置されたＬＥＤ４とＬＥＤ５との相互間隔は最も狭くしてある。
【００２８】
従って、ＬＥＤ列の中央部でのＬＥＤ相互の間隔は、ＬＥＤ列の両端部でのＬＥＤ相互の間隔より狭いとともに、この逆にＬＥＤ列の両端部でのＬＥＤ相互の間隔はＬＥＤ列の中央部でのＬＥＤ相互の間隔より広くなっている。これにより、ＬＥＤ列の中央部に配置されたＬＥＤ１〜ＬＥＤ８の配設密度は、ＬＥＤ列の左端部に配置されたＬＥＤ９〜ＬＥＤ１５の配設密度、及びＬＥＤ列の右端部に配置されたＬＥＤ１６〜ＬＥＤ２２の配設密度より高くなっている。
【００２９】
導光板２１は、透光性材料例えば透明なアクリル樹脂や透明なポリカーボネイト樹脂で形成されていて、その幅寸法（左右両端面間の寸法）はＬＥＤ基板１３の全長よりやや大きい。導光板２１は、その上面からなる入射面２３及び正面からなる出射面２４を有している。この導光板２１は入射面２３を各ＬＥＤ１〜ＬＥＤ２２に対向させてホルダ１２と組み合わされている。
【００３０】
導光板２１の例えば上端部からなる入光端部２１ａは複数例えば二つの角を有して上向きに折れ曲がった凸状をなしている。このため、入光端部２１ａの上面をなす入射面２３は、前記二つの角間の水平部２３ａと、この水平部２３ａの両側に連続した二つの斜状部２３ｂ、２３ｃとで形成されている。この入射面２３は、ＬＥＤ列とは平行ではないが、導光板２１の幅方向と同方向にＬＥＤ列に対応して延びている。入射面２３の水平部２３ａは、導光板２１の幅方向に関して中央部に位置し、かつ、略２５％の領域を占めて形成されている。左右の斜状部２３ｂ、２３ｃは、導光板２１の幅方向に関して前記中央部の左側と右側に位置し、かつ、略３７％の領域を占めて形成されている。なお、図３に示すように入光端部２１ａの正面（前面）はこれに重なるホルダ１２のカバー部１２ａで覆い隠される。
【００３１】
ＬＥＤ基板１３に実装されたＬＥＤ１〜ＬＥＤ２２と入射面２３との位置関係は、以下のように設定されている。
【００３２】
すなわち、入射面２３の長手方向中央部（具体的には水平部２３ａ）とこれに対向したＬＥＤ列の中央部との間の距離Ｄは、入射面２３の長手方向両端部（具体的には斜状部２３ｂ、２３ｃ）とこれに対向したＬＥＤ列の両端部との間の距離Ｅより短い。この逆に、入射面２３の長手方向両端部（具体的には斜状部２３ｂ、２３ｃ）とこれに対向したＬＥＤ列の両端部との間の距離Ｅは、入射面２３の長手方向中央部（具体的には水平部２３ａ）とこれに対向したＬＥＤ列の中央部との間の距離Ｄより長い。なお、ＬＥＤ列の中央部に配設されたＬＥＤ１〜ＬＥＤ８の先端は水平部２３ａに接していてもいなくてもよい。
【００３３】
出射面２４は入射面２３に対して略直角に連続して設けられている。この出射面２４には光を散乱して出射させる拡散部（図示しない）が設けられている。拡散部は例えばドットパターンで形成されている。このドットパターンは任意のパターンに設定できる。なお、出射面２４と対向する導光板２１の裏面に反射層を設けて、出射される光の量を増やしてもよい。
【００３４】
前記表示部材７は、透光性材料により例えばシート状に形成されて、出射面２４に被着されている。図１及び図２に示すように表示部材７は避難誘導のための図柄７ａ（なお、図柄以外の部位との識別を容易にするために図柄７ａには斜線を付してある。）を有している。
【００３５】
誘導灯１はその面光源装置６の光源部１１に常時通電して使用され、停電時にはバッテリー９の電力で光源部１１への給電がなされる。光源部１１への給電により、複数個のＬＥＤ１〜ＬＥＤ２２が発光するので、表示部材７に対するバックライトとして導光板２１が用いられる。
【００３６】
つまり、ＬＥＤ列の中央部に配設された複数個のＬＥＤ１〜ＬＥＤ８から下向きに放出された光は、導光板２１の厚み及び光の導光方向に直交する方向で導光板２１の中央部において入射面２３の水平部２３ａを通って導光板２１内に入射する。これとともに、ＬＥＤ列の両端部に夫々配設された複数個のＬＥＤ９〜ＬＥＤ１５、ＬＥＤ１６〜ＬＥＤ２２から夫々下向きに放出された光は、導光板２１の厚み及び光の導光方向に直交する方向で導光板２１の両端部において入射面２３の斜状部２３ｂ、２３ｃを通って導光板２１内に入射する。こうして導光板２１に入射した光は、導光板内部を全反射しながら導光板２１の下方に向けて伝播し、この伝播途中で導光板２１の出射面２４に設けられたドットパターンにより散乱されて導光板２１外に出射される。それにより、導光板２１の出射面２４から出射される光で表示部材７が照らされるので、避難誘導のための図柄７ａを明るく表示できる。
【００３７】
ところで、複数個のＬＥＤ１〜ＬＥＤ８とこれに対向した入射面２３の水平部２３ａとの間の距離Ｄは短いので、入光端部２１ａにおいてＬＥＤ１〜ＬＥＤ８の直下に対向した部位は明るくなるが、入光端部２１ａでの明暗は以下の理由で低減できる。
【００３８】
つまり、直線状をなしたＬＥＤ列の中央部に配設された複数個のＬＥＤ１〜ＬＥＤ８相互の間隔は、ＬＥＤ列の端部に配設された複数個のＬＥＤ９〜ＬＥＤ１５相互の間隔、及びＬＥＤ１６〜ＬＥＤ２２相互の間隔より夫々狭く設定されている。それにより、ＬＥＤ１〜ＬＥＤ８の直下に対向せずにかつ隣接するＬＥＤ間に対向した入光端部２１ａの狭い部位に、入光端部２１ａの水平部２３ａにＬＥＤ１〜ＬＥＤ８から入射した光が波及する。したがって、この狭い部位が、ＬＥＤ１〜ＬＥＤ８の直下明るい部位に対して相対的に暗くなることが抑制される。
【００３９】
そして、ＬＥＤ列の端部に配設された複数個のＬＥＤ９〜ＬＥＤ１５相互の間隔、及びＬＥＤ１６〜ＬＥＤ２２相互の間隔は、ＬＥＤ列の中央部に配設された複数個のＬＥＤ１〜ＬＥＤ８相互の間隔より広いが、これらＬＥＤ９〜ＬＥＤ２２と入射面２３の長手方向端部をなす斜状部２３ｂ、２３ｃとの間の距離Ｅは長い。この長い空間距離により、導光板２１の入光端部２１ａの内でＬＥＤ列の長手方向端部に対応する端部側部位での明るさのむらを低減できる。
【００４０】
従って、入光端部２１ａでの明暗を低減でき、この入光端部２１ａの高さＦ（図４参照）を低くできる。そのため、複数個のＬＥＤ１〜ＬＥＤ２２に基づく明暗が目立たずに表示部材７の大きさに適合する領域を有する導光板２１の高さＧ（図４参照）を短くでき、それに伴い面光源装置６及びこれを備えた誘導灯１の高さを小さくすることが可能である。
【００４１】
入射面２３の長手方向端部への入射光量は、この端部に対向するＬＥＤ９〜ＬＥＤ２２と入射面２３の長手方向端部をなした斜状部２３ｂ、２３ｃの間の距離Ｅに応じて多少減少する。しかし、ＬＥＤ列の中央部に配設された複数個のＬＥＤ１〜ＬＥＤ８相互の間隔が狭いことと相まって、これらＬＥＤ１〜ＬＥＤ８と入射面２３の長手方向中央部との間の距離が短いので、導光板２１の幅方向中央部位への入射光量が増加されている。これにより、導光板２１及びこれにより照らされる表示部材７の平均輝度の低下を抑制できる。
【００４２】
ちなみに、ＬＥＤ１〜ＬＥＤ８相互の間隔が６ｍｍ以下の設定であるとき、この配設間隔に基づく入光端部２１ａでの明暗を目立たなくするのに必要な空間距離、正確にはＬＥＤ１〜ＬＥＤ８の先端と水平部２３ａとの間の距離は最低１ｍｍである。そして、１ｍｍの空間距離での入射光量の低下は、ＬＥＤ１〜ＬＥＤ８の先端を入射面２３の水平部２３ａに接触させた場合の約１〜２％と小さい。その上、ＬＥＤ１〜ＬＥＤ８の配設密度が高いので、より多量の光を水平部２３ａに入射させることができる。したがって、ＬＥＤ９〜ＬＥＤ２２からの入射面２３への入射光量が減っているにも拘らず、トータルでの入射光量の低下は、全てのＬＥＤ１〜ＬＥＤ２２の先端を入射面２３に接触させた場合の約３〜４％に止めることができた。
【００４３】
しかも、既述のように配設密度が高いＬＥＤ１〜ＬＥＤ８から発した光が、導光板２１の幅方向中央部に効率よく入射するので、導光板２１の幅方向中央部の輝度を向上できる。これにより、導光板２１の幅方向中央部が左右両側の部位より暗く視認されることを防止できるとともに、誘導灯１の表示面に必要とされる平均輝度を得やすくなって、表示部材７の図柄７ａを視認させく提供できる。
【００４４】
図５〜図８は夫々異なる本発明の他の実施形態を示している。これらの実施形態は、光ＬＥＤ基板１３に実装された複数個のＬＥＤと導光板２１の入射面２３との関係が第１実施形態とは異なり、それ以外は図示されない部分を含めて第１実施形態と同じである。このため、以下の説明において、第１実施形態と同じ部分には同一符号を付して説明を省略する。
【００４５】
図５に示した本発明の第２実施形態では、導光板２１の入射面２３が、上側に凸となる円弧状の面で形成されている。この点以外は第１実施形態と同じである。したがって、第２実施形態は、第１実施形態で説明したと同様な理由により、複数個のＬＥＤ１〜ＬＥＤ２２の配置に基づく、導光板２１全体の輝度の低下と導光板２１の入光端部２１ａでの明るさのむらを低減できるとともに、導光板２１の中央部の輝度を向上できる。
【００４６】
図６に示した本発明の第３実施形態では、導光板２１の入射面２３全体が水平面で形成されている。ＬＥＤ基板１３は、複数例えば二つの角を有して下側に凸となるように折れ曲がっていて、二つの角間の水平部１３ｃと、この水平部１３ｃの両側に連続した二つの斜状部１３ｄ、１３ｅとで形成されている。そして、水平部１３ｃの下面にＬＥＤ１〜ＬＥＤ８が高い密度で実装され、水平部１３ｃの左側に連続した斜状部１３ｄの下面にＬＥＤ９〜ＬＥＤ１５が低い密度で実装され、同様に水平部１３ｃの右側に連続した斜状部１３ｅの下面にＬＥＤ１６〜ＬＥＤ２２が低い密度で実装されている。これにより、複数個のＬＥＤ１〜ＬＥＤ８とこれらに対向した入射面２３との間の距離Ｄを短くするとともに、複数個のＬＥＤ９〜ＬＥＤ２２とこれらに対向した入射面２３との間の距離Ｅを前記距離Ｄより長くしている。
【００４７】
以上説明した点以外は第１実施形態と同じである。したがって、この第３実施形態は、第１実施形態で説明したと同様な理由により、複数個のＬＥＤ１〜ＬＥＤ２２の配置に基づく、導光板２１全体の輝度の低下と導光板２１の入光端部２１ａでの明るさのむらを低減できるとともに、導光板２１の中央部の輝度を向上できる。
【００４８】
図７に示した本発明の第４実施形態では、導光板２１の入射面２３全体が水平面で形成されている。ＬＥＤ基板１３は下側に凸となるように湾曲されている。このＬＥＤ基板１３の長手方向中央部の下面にＬＥＤ１〜ＬＥＤ８が高い密度で実装され、中央部の左側に連続したＬＥＤ基板１３の長手方向一端部の下面にＬＥＤ９〜ＬＥＤ１５が低い密度で実装され、同様に前記中央部の右側に連続したＬＥＤ基板１３の長手方向他端部の下面にＬＥＤ１６〜ＬＥＤ２２が低い密度で実装されている。これにより、複数個のＬＥＤ１〜ＬＥＤ８とこれらに対向した入射面２３との間の距離Ｄを短くするとともに、複数個のＬＥＤ９〜ＬＥＤ２２とこれらに対向した入射面２３との間の距離Ｅを前記距離Ｄより長くしている。
【００４９】
以上説明した点以外は第１実施形態と同じである。したがって、この第４実施形態は、第１実施形態で説明したと同様な理由により、複数個のＬＥＤ１〜ＬＥＤ２２の配置に基づく、導光板２１全体の輝度の低下と導光板２１の入光端部２１ａでの明るさのむらを低減できるとともに、導光板２１の中央部の輝度を向上できる。
【００５０】
図８に示した本発明の第５実施形態では、ＬＥＤ基板１３がその長手方向の中央で上向きに凸となるように曲げられていて、その下面に複数個のＬＥＤ１〜ＬＥＤ２２が縦列配置つまり一列に並べて配置されている。導光板２１の入射面２３は、その長手方向の中央で上向きに凸となるように曲がっていて、左側の斜状部２３ｄと右側の斜状部２３ｅにより形成されている。そして、ＬＥＤ基板１３の曲げ角度は入射面２３の曲げ角度より大きい。それにより、ＬＥＤ基板１３と入射面２３とは平行ではなく設けられて、複数個のＬＥＤ１〜ＬＥＤ８と、これらに対向した入射面２３との間の距離Ｄを短くするとともに、複数個のＬＥＤ９〜ＬＥＤ２２とこれらに対向した入射面２３との間の距離Ｅを前記距離Ｄより長くしている。
【００５１】
以上説明した点以外は第１実施形態と同じである。したがって、この第５実施形態は、第１実施形態で説明したと同様な理由により、複数個のＬＥＤ１〜ＬＥＤ２２の配置に基づく、導光板２１全体の輝度の低下と導光板２１の入光端部２１ａでの明るさのむらを低減できるとともに、導光板２１の中央部の輝度を向上できる。しかも、第５実施形態では、斜状部２３ｄに入射した光と、斜状部２３ｅに入射した光とが導光板２１の幅方向中央部で交差しながら導光板２１内を伝播するので、導光板２１の幅方向中央部の輝度をより向上できる。
【００５２】
図９は本発明の第６実施形態を示している。この実施形態は、光ＬＥＤ基板１３に実装された複数個のＬＥＤと導光板２１の入射面２３との関係が第２実施形態とは異なり、それ以外は図示されない部分を含めて第２実施形態と同じである。このため、以下の説明において、第２実施形態と同じ部分には同一符号を付して説明を省略する。
【００５３】
第６実施形態では、ＬＥＤ基板１３の長手方向両端に、導光板２１の上端部の左右両端面に対向する折り曲げ端部１３ｆ、１３ｇが設けられている。これらの折り曲げ端部１３ｆ、１３ｇの夫々に側部ＬＥＤ１４、１５が取付けられている。側部ＬＥＤ１４、１５はＬＥＤ１〜ＬＥＤ２２と同じく白色発光をするものであって、導光板２１の入光端部２１ａに入射面２３に相当に光を入射させるために設けられている。更に、折り曲げ端部１３ｆ、１３ｇ及び側部ＬＥＤ１４、１５によって、面発光装置の長手方向の寸法が大きくならないようにするために、導光板２１の上端部の左右両端部に逃げ溝１６，１７が形成され、これらの逃げ溝１６，１７内に側部ＬＥＤ１４、１５が配置されている。
【００５４】
以上説明した点以外は第２実施形態と同じである。したがって、この第６実施形態は、第２実施形態で説明したと同様な理由により、複数個のＬＥＤ１〜ＬＥＤ２２の配置に基づく、導光板２１全体の輝度の低下と導光板２１の入光端部２１ａでの明るさのむらを低減できるとともに、導光板２１の中央部の輝度を向上できる。しかも、第６実施形態では、側部ＬＥＤ１４、１５から放出されて導光板２１の入光端部２１ａに入射された光が、入射面２３の長手方向に沿うように伝播して進行する。このため、導光板２１の入光端部２１ａでの明るさのむらをより確実に低減できる。
【００５５】
なお、前記各実施形態で説明した請求項１，２に係る発明の面光源装置６は、その用途を誘導灯１に制約されるものではなく、各種表示装置のバックライト光源として用いることができる。
【図面の簡単な説明】
【００５６】
【図１】本発明の第１実施形態に係る面光源装置を備えた誘導灯を示す正面図。
【図２】図１の誘導灯を分解して示す斜視図。
【図３】図１の誘導灯の一部を示す断面図。
【図４】図１の誘導灯の光源部と導光板との関係を示す正面図。
【図５】本発明の第２実施形態に係る誘導灯の光源部と導光板との関係を示す正面図。
【図６】本発明の第３実施形態に係る誘導灯の光源部と導光板の一部との関係を示す正面図。
【図７】本発明の第４実施形態に係る誘導灯の光源部と導光板の一部との関係を示す正面図。
【図８】本発明の第５実施形態に係る誘導灯の光源部と導光板の一部との関係を示す正面図。
【図９】本発明の第６実施形態に係る誘導灯の光源部と導光板の一部との関係を示す正面図。
【符号の説明】
【００５７】
１…誘導灯、２…灯具本体、３…点灯装置、９…バッテリー、６…面光源装置、７…表示部材、７ａ…図柄、１１…光源部、１２…カバー部、１３…ＬＥＤ基板、ＬＥＤ１〜ＬＥＤ２２…ＬＥＤ（発光ダイオード）、１４，１５…側部ＬＥＤ、２１…導光板、２１ａ…導光板の入光端部、２３…入射面、２４…出射面、Ｄ，Ｅ…距離
【図１】
2008130336.tif 000003
【図２】
2008130336.tif 000004
【図３】
2008130336.tif 000005
【図４】
2008130336.tif 000006
【図５】
2008130336.tif 000007
【図６】
2008130336.tif 000008
【図７】
2008130336.tif 000009
【図８】
2008130336.tif 000010
【図９】
2008130336.tif 000011